(57)【要約】【課題】洗濯機の信頼性を向上させる。【解決手段】回転モータと、回転モータから回転力の伝達を受けることが可能なシャフトと、シャフトの回転力の伝達を受けることが可能な内槽及び回転翼を有し、シャフトの一端側に、内槽の内槽孔及び回転翼の翼孔が挿通されている洗濯機であって、シャフト及び内槽孔の隙間、並びに／又はシャフト及び翼孔の隙間の気密性を向上させる封止部材を有する。【選択図】図３
2019118405.tif 000002
【特許請求の範囲】
【請求項１】
回転モータと、
該回転モータから回転力の伝達を受けることが可能なシャフトと、
該シャフトの回転力の伝達を受けることが可能な内槽及び回転翼を有し、
前記シャフトの一端側に、前記内槽の内槽孔及び前記回転翼の翼孔が挿通されている洗濯機であって、
前記シャフト及び前記内槽孔の隙間、並びに／又は前記シャフト及び前記翼孔の隙間の気密性を向上させる封止部材を有することを特徴とする洗濯機。
【請求項２】
前記シャフト及び前記回転翼を固定する固定部材を前記翼孔に設け、
前記封止部材は、前記翼孔に設けられていることを特徴とする請求項１に記載の洗濯機。
【請求項３】
前記シャフトの軸方向に延在する環状のリブを有し、
前記シャフトの一部が、前記リブの環状の内側に位置しており、
前記リブの下端よりも上方に、前記シャフトの一部の上端が位置していることを特徴とする請求項１又は２に記載の洗濯機。
【請求項４】
前記封止部材は、その全部が前記翼孔に位置していることを特徴とする請求項１乃至３何れか一項に記載の洗濯機。
【請求項５】
前記封止部材は、前記翼孔から観察可能な側である上面に、上面凸部を有していることを特徴とする請求項１乃至４何れか一項に記載の洗濯機。
【請求項６】
前記リブは、前記回転翼の下面における前記翼孔の周囲に設けられており、
前記中径部に螺合したナットを有し、
前記内槽は、前記ナットで規制されており、
前記中径部の上端は、前記ナットから露出していることを特徴とする請求項５に記載の洗濯機。
【請求項７】
回転翼に設けた翼孔に挿入する用途の説明書きを付された、弾性を有する洗濯機用の封止部材。
【発明の詳細な説明】
【技術分野】
【０００１】
本発明は洗濯機及び洗濯機用の封止部材に関する。
【背景技術】
【０００２】
特許文献１は、内槽３底部に設けた回転翼２を、ネジ（図３。符号なし）で駆動軸１３に螺合した構造を開示している。駆動軸１３の下端側には駆動モータ９が設けられている。
【先行技術文献】
【特許文献】
【０００３】
【特許文献１】特開２００９−２３３４４１号公報
【発明の概要】
【発明が解決しようとする課題】
【０００４】
回転翼２周囲には洗濯水が存在するところ、ネジやそれより下方から水が駆動軸１３を伝って流れる等して浸入し、駆動モータ９等の電気品やベアリング等の金属部材に付着する虞がある。このような付着が発生すると、駆動モータ９等が劣化したり破損したりすることが想定される。
【課題を解決するための手段】
【０００５】
上記事情に鑑みてなされた本発明は、回転モータと、該回転モータから回転力の伝達を受けることが可能なシャフトと、該シャフトの回転力の伝達を受けることが可能な内槽及び回転翼を有し、前記シャフトの一端側に、前記内槽の内槽孔及び前記回転翼の翼孔が挿通されている洗濯機であって、前記シャフト及び前記内槽孔の隙間、並びに／又は前記シャフト及び前記翼孔の隙間の気密性を向上させる封止部材を有することを特徴とする。
【図面の簡単な説明】
【０００６】
【図１】実施例１の縦型洗濯機及び外枠ベースの概略図
【図２】実施例１の内槽及びその周辺の概略断面図
【図３】図２のうちシャフト上端側をさらに拡大した図
【図４】実施例１の回転モータ、ギヤ、シャフト、回転翼、螺合部材及び封止部材の分解斜視図
【図５】実施例１の封止部材の（ａ）斜視図、（ｂ）側面図、（ｃ）Ａ−Ａ断面図
【発明を実施するための形態】
【０００７】
以下、本発明の実施例を、添付の図面を参照しつつ説明する。
［縦型洗濯機１００］
図１は本実施例の縦型洗濯機１００及び外枠ベース１１の概略図である。縦型洗濯機１００は、外枠ベース１１に載置された外枠１、外槽２、吊棒９９、支持部９８、コーナ防振ばね９７、脱水孔３１及び内槽底部３２を有する内槽３、回転翼４、螺合部材９（例えば図２参照）、シャフト５、ギヤ６、回転モータ７、給水ホース９１、排水ホース９２、を有する。
【０００８】
外枠１の内側には、洗濯水を貯留可能な外槽２が位置している。外槽２は、コーナ防振ばね９７に接続されており、コーナ防振ばね９７は、吊棒９９を介して、外枠１のうちの上方に位置する支持部９８に接続することで、外枠１に弾性支持されている。
【０００９】
外槽２の内側には、回転モータ７の回転力が伝達されるシャフト５の外側出力軸としての中径部５２により回転自在の内槽３が位置し、また、内槽３底部側には、シャフト５の内側出力軸としての細径部５１により回転自在の回転翼４が位置している。ギヤ６及び回転モータ７は回転翼４およびシャフト５の下側に位置しており、回転モータ７の駆動による回転力がギヤ６を介してシャフト５に伝えられる。回転モータ７は、ギヤ６の下側に固定されている。シャフト５は、接続するギヤ６及び回転モータ７から近い順に、太径部５３、中径部５２、及び細径部５１を有している。
【００１０】
回転モータ７の駆動回転はクラッチの操作によって、細径部５１のみに伝達させる又は細径部５１及び中径部５２に伝達させることを選択できる。細径部５１の回転に伴う回転翼４の回転で内槽３内の洗濯物を洗濯できる。中径部５２の回転に伴う内槽３の回転で洗濯物を脱水できる。内槽３の胴体に設けた脱水孔３１から遠心脱水が行われる。
【００１１】
洗濯水Ｗは、水道水供給源としての蛇口に接続された給水ホース９１から外槽２に注がれる。また、外槽２の底部に設けた排水ホース９２を介して機外へ排出される。
【００１２】
［内槽３周囲の構造］
図２は本実施例の内槽３及びその周辺の概略断面図、図３は図２のうちシャフト５上端側をさらに拡大した図、図４は本実施例の回転モータ７、ギヤ６、シャフト５、回転翼４、螺合部材９（固定部材の一例）及び封止部材８の分解斜視図である。
【００１３】
内槽３は、回転翼４より下側に位置する内槽底部３２と、内槽底部３２の中央側に設けられた内槽孔３３とを有している。
【００１４】
回転翼４は、回転翼４の正面視中央側に位置する翼孔４１を有している。翼孔４１は正面視（上面視）で貫通した孔であり、回転モータ７から遠い位置から順に、挿入孔部４１１、規制孔部４１２、案内孔部４１３、及び細径対応孔部４１４を有する。
挿入孔部４１１は、螺合部材９及び封止部材８を挿入可能なサイズである。規制孔部４１２は、挿入孔部４１１から離れるにつれて径が小さくなるテーパ状の領域であり、螺合部材９のうち先端（ねじ切りに螺合する部分）を通過させることができるがねじ頭を規制することができる。案内孔部４１３は、規制孔部４１２の終端位置（本実施例では、挿入孔部４１１から最も遠い位置）における径と略同等の径で延在する領域であり、シャフト５の細径部５１の軸方向移動を規制することができる。細径対応孔部４１４は、細径部５１を通過させることができる領域であり、中径部５２の軸方向移動を規制できるサイズに形成されている。また、細径対応孔部４１４の径は細径部５１の外径に実質的に等しいことが好ましい。
【００１５】
また、回転翼４のうち回転モータ７側（下側）の面において、翼孔４１周囲には、環状のリブ４３が設けられている。リブ４３は翼孔４１と略平行な方向に延在して回転モータ７側に突出しており、リブ４３が形成する環状形状の内側には、シャフト５の軸方向に垂直な方向から観察したときに、中径部５２の先端５２１が達している。換言すると、縦型洗濯機１００について、リブ４３の下端よりも上側に、中径部５２の先端５２１が位置している。
【００１６】
シャフト５は、回転モータ７から遠い順に、細径部５１、中径部５２、太径部５３を有している。細径部５１、中径部５２、太径部５３それぞれの間の境界では、径が離散的に（階段状に）変化しているが、連続的に変化するように構成しても良い。本実施形態では、３種の径それぞれの３つの円筒状部材としての細径部５１、中径部５２、太径部５３を同軸で入れ子状に組み合わせている。
細径部５１の先端（上端）には凹部（有底又は無底の穴）が設けられており、凹部には螺合部材９と螺合可能なねじ切りが設けられている。中径部５２のうち細径部５１側には、他部材と螺合可能なねじ切りが設けられている。
【００１７】
［シャフト５への挿通］
シャフト５のうち中径部５２側には、内槽３の内槽孔３３が挿通されている。内槽底部３２の一面側（下面側）は、太径部５３の境界（中径部５２との間の境界）で支持されている。
内槽底部３２の他面側（上面側）には、内槽押え９６としてのナットがフランジ９５を介してシャフト５に挿通されている。内槽押え９６は、中径部５２のねじ切りに螺合しており、これと太径部５３の境界とで以て内槽３をそれぞれの側から支持している。これにより、中径部５２と内槽３とを固定することができる。
【００１８】
中径部５２のうち、細径部５１側の先端５２１は、内槽押え９６を取付けた状態でも内槽押え９６から露出している。
なお、適宜その他の部分にワッシャやフランジ（例えば先端５２１からやや細径部５１側のワッシャ９４）を設けることで部材の保護や水滴の通過の規制精度を向上させることができる。本実施例の先端５２１は、ワッシャ９４又はワッシャ９４とともに設けられた部材に略当接している。
【００１９】
シャフト５のうち細径部５１には、回転翼４の翼孔４１のうち、細径対応孔４１４が挿通されている。細径部５１の先端は、案内孔部４１３に略当接して規制されており、細径部５１先端に設けられた凹部には、螺合部材９が挿通されている。これにより、細径部５１と回転翼４とを固定することができる。
【００２０】
［シャフト５周囲の気密］
シャフト５は、シャフト５にそれぞれ挿通された内槽孔３３、内槽押え９６、細径対応孔部４１４、案内孔部４１３、規制孔部４１２、及び挿入孔部４１１との間に、隙間を有している。これは、シャフト５への挿通工程を経た後に固定されることから、通常意図せずとも形成される。この隙間には、縦型洗濯機１００の製造時、空気が存在している。
【００２１】
ここで、縦型洗濯機１００の使用時、シャフト５上方の内槽３には洗濯水Ｗが貯留される。このような洗濯水は、この隙間を通過してギヤ６や回転モータ７に到達することは通常かなり抑制されているが、例えば内槽押え９６とともに設けられたフランジ９５やワッシャ９４等が、洗濯水やそれに混入した砂等に接触して摩耗が進行すると、洗濯水が隙間を伝ってギヤ６や回転モータ７に到達する虞が生じる。このため、このような隙間への洗濯水の浸入を極力抑制することが望まれる。また、洗濯水の貯留による水面の上昇に伴い、ベアリング９３まで洗濯水が到達する虞も生じ得る。ベアリング９３は通常金属製であり、やはり摩耗や錆びが生じる虞がある。
【００２２】
本実施例では、螺合部材９のねじ頭側であって、挿入孔部４１１中に封止部材８を設けている。図５は、本実施例の封止部材８の（ａ）斜視図、（ｂ）側面図、（ｃ）Ａ−Ａ断面図である。
【００２３】
例えば樹脂形成されて弾性のある封止部材８は、上面８１、上面凸部８２、側面８３、側面案内部８４、底面凹部８５を有する。
封止部材８の上下寸法は、螺合部材９のねじ頭上端から挿入孔部４１１上端までの寸法未満であることが好ましい。これにより、封止部材８が翼孔４１から突出して衣類に接触することを抑制できるため、意図せずに封止部材８が翼孔４１から除去されることを抑制できる。また、封止部材８の径寸法は、挿入孔部４１１の径寸法と実質的に同一が、好ましくはやや小さいことが好ましい。
【００２４】
上面８１は、好ましくは下側に向けて凹んでおり、上面凸部８２は上方に向けて突出した形状を有している。封止部材８を螺合部材９のねじ頭上側に配した場合、上面が平坦形状だと挿入孔部４１１から封止部材８を除去しにくい。このため本実施例のように構成することで、上面凸部８２を摘まむ等すれば除去を容易に行うことができる。
【００２５】
側面８３は、平坦であっても良いが、本実施例のように凹凸を有していると好ましい。これにより、凸部分が封止部材８自身の弾性により挿入孔部４１１内周面に向けて付勢する際に、凸部での密閉性を向上させることができる。
【００２６】
側面案内部８４は、下方に向かうにつれて径寸法が小さくなるテーパ形状となっている。これにより、挿入孔部４１１への挿入の際に封止部材８自身を案内することができる。
【００２７】
底面凹部８５は、封止部材８の底側中央部分に設けられた凹みである。これにより封止部材８の底面側が弾性により動きやすく構成されるため、例えば密閉性を向上させることができる。
【００２８】
封止部材８は、好ましくは樹脂等で形成されて弾性を有する部材で、自然状態で挿入孔部４１１の径よりやや小さい。封止部材８を挿入孔部４１１に挿入することで、翼孔４１の下方の空気が上方に抜けることを抑制して気密性を向上できる。これにより、隙間やその周囲に洗濯水が貯留されてくると、貯留に伴って隙間の気圧が上昇する。洗濯水は略大気圧であるから、洗濯水の浸入を抑制できる。したがって、隙間に配されている部材、例えばワッシャの摩耗等を抑制することで、例えば使用を重ねた縦型洗濯機１００等であっても、ギヤ６や回転モータ７への水滴の伝達を抑制できる。（ここではシャフトの隙間部への浸水を防ぐように読めますが、最初の打合わせと違っていないでしょうか。最後ページにコメントしました。）
さらに本実施例では、上述のように、先端５２１の周囲をリブ４３が囲んでいる。リブ４３の径を好ましくは先端５２１の径より大きくかつ実質的に等しくすることで、先端５２１周囲（ワッシャ９４やその近傍の部材、リブ４３９２及び先端５２１で略囲まれている領域）の気密性を向上させることができるため、この領域に空気溜めを形成することができ、より好適な効果を奏することができる。なお、ワッシャ９４に代えてその他何らかの構造物を配しても良い。
【００２９】
なお、本実施例の洗濯機は上述のように縦型であり、すなわち、シャフト５の軸方向は、重力方向に略一致する。また、封止部材８は、洗濯機１００に組み込んだ状態で販売等しても良いし、回転翼４の翼孔４１に挿入する用途であることを説明した上で単独で販売等しても良い。
【符号の説明】
【００３０】
１    ・・・外枠
１１  ・・・外枠ベース
２    ・・・外槽
３    ・・・内槽
３１  ・・・脱水孔
３２  ・・・内槽底部
３３  ・・・内槽孔
４    ・・・回転翼
４１  ・・・翼孔
４１１・・・挿入孔部
４１２・・・規制孔部
４１３・・・案内孔部
４１４・・・細径対応孔部
４３  ・・・環状リブ
５    ・・・シャフト
５１  ・・・細径部
５２  ・・・中径部
５２１・・・中径部の先端
５３  ・・・太径部
６    ・・・ギヤ
７    ・・・回転モータ
８    ・・・封止部材
８１  ・・・上面
８２  ・・・上面凸部
８３  ・・・側面
８４  ・・・側面案内部
８５  ・・・底面凹部
９    ・・・螺合部材（固定部材）
９１  ・・・給水ホース
９２  ・・・排水ホース
９３  ・・・ベアリング
９４  ・・・ワッシャ
９５  ・・・フランジ
９６  ・・・内槽押え
９７  ・・・コーナ防振ばね
９８  ・・・支持部
９９  ・・・吊棒
１００・・・縦型洗濯機
【図１】
2019118405.tif 000003
【図２】
2019118405.tif 000004
【図３】
2019118405.tif 000005
【図４】
2019118405.tif 000006
【図５】
2019118405.tif 000007